(57)【要約】【課題】小型であって、レンズホルダーの全方向の移動に伴う振動を抑える対物レンズ駆動装置を提供する。【解決手段】光ディスクに光スポットを投影するための対物レンズ１、対物レンズ１を保持するレンズホルダー２およびレンズホルダー２と固着されているコイル３、４を有する可動部と、突起部１１を有するヨークベース１０および突起部１１に固定設置されたマグネット９を有する固定部と、固定部と可動部とに接続され、固定部に対して可動部を可動自在とする支持部５とを備え、コイル３、４の少なくとも一部が、マグネット９により形成された磁気回路中に配置されている対物レンズ駆動装置２０であって、突起部１１とマグネット９との間に粘弾性部材１３が設置されていることを特徴とする。【選択図】  図１
2006155747.tif 000002
【特許請求の範囲】
【請求項１】
光ディスクに光スポットを投影するための対物レンズ、前記対物レンズを保持するレンズホルダーおよび前記レンズホルダーと固着されているコイルを有する可動部と、突起部を有するヨークベースおよび前記突起部に固定設置されたマグネットを有する固定部と、前記固定部と前記可動部とに接続され、前記固定部に対して前記可動部を可動自在とする支持部とを備え、前記コイルの少なくとも一部が、前記マグネットにより形成された磁気回路中に配置されている対物レンズ駆動装置であって、
前記突起部と前記マグネットとの間に粘弾性部材が設置されていることを特徴とする対物レンズ駆動装置。
【請求項２】
前記マグネットおよび前記突起部は、前記粘弾性部材と同一材料である接着剤により接着されている請求項１に記載の対物レンズ駆動装置。
【請求項３】
前記粘弾性部材は、前記マグネットの表面にコーティングによって形成されている請求項１または請求項２に記載の対物レンズ駆動装置。
【請求項４】
前記マグネットと前記突起部との間隔は５０μｍ以上である請求項１ないし請求項３のいずれかに記載の対物レンズ駆動装置。
【請求項５】
前記粘弾性部材の硬度は、７０度以下である請求項１ないし請求項４のいずれかに記載の対物レンズ駆動装置。
【請求項６】
請求項１ないし請求項５のいずれかに記載の対物レンズ駆動装置を備えた光ピックアップ装置。
【発明の詳細な説明】
【技術分野】
【０００１】
本発明は、対物レンズ駆動装置およびそれを備えた光ピックアップ装置に関する。
【背景技術】
【０００２】
例えば、ＤＶＤディスク等の記憶媒体に光スポットを投射して記録再生を行う光ピックアップ装置には、対物レンズをフォーカス方向およびトラッキング方向に駆動させる対物レンズ駆動装置が搭載されている。以下に、従来の対物レンズ駆動装置について説明する。図８は従来の対物レンズ駆動装置の構成を示す斜視図である。なお、図８において、対物レンズのフォーカス方向をＺ軸方向とし、対物レンズのトラッキング方向をＹ軸方向とする。レンズホルダー１０２は、ホルダー部１０２ａとアーム部１０２ｂとを備えている。対物レンズ１０１はレンズホルダー１０２のホルダー部１０２ａに保持されている。また、レンズホルダー１０２のアーム部１０２ｂには、それぞれ一体となったフォーカスコイル１０３およびトラッキングコイル１０４が固着されている。
【０００３】
レンズホルダー１０２のアーム部１０２ｂのＺＸ面に平行な両端面のホルダー部１０２ａ寄りにはホルダー基板１０６がそれぞれ設置されている。また、レンズホルダー１０２のアーム部１０２ｂのＹＺ面に平行な面のうち、ホルダー部１０２ａが設置されている反対側の面側に、ベース基板１０８と固着されたサスペンションベース１０７が配置されている。
【０００４】
それぞれ略平行に配置された弾性体であるワイヤー１０５の一端は、ホルダー基板１０６に半田付けされている。具体的には、１つのホルダー基板１０６につき２本ずつ各ワイヤー１０５が半田付けされていて、全部で４本のワイヤー１０５が半田付けされている。ワイヤー１０５は、サスペンションベース１０７を貫通して、他端がベース基板１０８に半田付けされている。このような構成とすることで、ワイヤー１０５により、ホルダー基板１０６とベース基板１０８とは電気的に接続されている。
【０００５】
また、サスペンションベース１０７は、突起部１１１を有するヨークベース１１０上に設置固定されている。上述のように、サスペンションベース１０７と固着されているベース基板１０８がワイヤー１０５を介してレンズホルダー１０２に設置されたホルダー基板１０６に接続されている。したがって、レンズホルダー１０２はヨークベース１１０に弾性支持されている。
【０００６】
ヨークベース１１０の突起部１１１は、マグネット１０９と接触し一体となっていて、マグネット１０９により磁気ギャップ（磁気回路）を形成している。磁気ギャップはマグネット１０９どうしの間付近に形成される。なお、この従来の対物レンズ駆動装置１００においては、マグネット１０９および突起部１１１が２つずつ設置されている。マグネット１０９と突起部１１１とにより形成された磁気ギャップ中に、フォーカスコイル１０３の一部およびトラッキングコイル１０４が配置されている。
【０００７】
従来の対物レンズ駆動装置１００の動作について説明する。マグネット１０９による磁界は図８におけるＸ方向に生じている。また、フォーカスコイル１０３は、磁気ギャップ内においてＹ方向に電流が流れるように構成されている。そのため、フォーカスコイル１０３に電流が流れた場合は、フォーカスコイル１０３が図８においてＺ方向に移動する。つまり、フォーカス方向に移動する。また、フォーカスコイル１０３に流す電流の方向を変化させることで、移動する向きを変化させることができる。レンズホルダー１０２はフォーカスコイル１０３に固着されているので、フォーカスコイル１０３の移動とともに、対物レンズ１０１が固着されたレンズホルダー１０２が移動する。それによって、フォーカス制御を行うことができる。
【０００８】
また、トラッキングコイル１０４は、磁気ギャップ内に設置されていて、電流は、ＹＺ面に平行な方向に流れるように構成されている。そのため、トラッキングコイル１０４に電流が流れた場合は、トラッキングコイル１０４が図８においてＹ方向に移動する。つまり、トラッキング方向に移動する。また、トラッキングコイル１０４に流す電流の方向を変化させることで、移動する向きを変化させることができる。レンズホルダー１０２はトラッキングコイル１０４に固着されているので、トラッキングコイル１０４の移動とともに、対物レンズ１０１が固着されたレンズホルダー１０２が移動する。それによって、トラッキング制御を行うことができる。
【０００９】
以上のように、対物レンズ駆動装置１００は、フォーカスコイル１０３およびトラッキングコイル１０４に流す電流を制御することにより、対物レンズ１０１のフォーカス方向（Ｚ軸方向）およびトラッキング方向（Ｙ軸方向）の二次元に対物レンズ１０１を駆動させる振動系を構成している。
【００１０】
この対物レンズ駆動装置１００において、トラッキングコイル１０４に駆動電流を流すと、トラッキングコイル１０４およびマグネット１０９のそれぞれに対して推力が発生する。トラッキングコイル１０４にかかる推力は、上述したようにレンズホルダー１０２をトラッキング方向に移動させる力である。一方、マグネット１０９にかかる推力は、レンズホルダー１０２をトラッキング方向に移動させる力と向きが逆で大きさが同じ力であり、ヨークベース１１０にかかる。
【００１１】
また、フォーカスコイル１０３に電流を流すとトラッキングコイル１０４に電流を流した時と同様に、フォーカスコイル１０３およびマグネット１０９のそれぞれに対して推力が発生する。フォーカスコイル１０３にかかる推力は、上述したようにレンズホルダー１０２をフォーカス方向に移動させる力である。一方、マグネット１０９にかかる推力は、レンズホルダー１０２をフォーカス方向に移動させる力と向きが逆で大きさが同じ力であり、ヨークベース１１０にかかる。
【００１２】
この対物レンズ駆動装置１００を、例えば光ピックアップ装置に搭載する場合には、ヨークベース１１０が光ピックアップ装置に設置されることになる。その場合には、ヨークベース１１０にかかる力は光ピックアップ装置にかかり、光ピックアップ装置を振動させる。
【００１３】
このとき、振動の経路内に特異な共振点があると、トラッキングサーボおよびフォーカスサーボが発振するなどの問題が発生する場合がある。特に、最近では、光ピックアップ装置の薄型化、軽量化の要求に伴って、光ピックアップ装置を構成する各部品の剛性が低下する傾向にあるため、特異な共振が発生しやすい。このように、従来の対物レンズ駆動装置は、トラッキングサーボおよびフォーカスサーボの発振が生じやすく、それにより、再生および記録動作に問題が生じる場合がある。
【００１４】
これを防ぐために、例えば、対物レンズ駆動装置の固定部全体をフォーカス方向にのみ自由度をもって粘弾性支持する方法が提案されている（例えば、特許文献１参照）。
【特許文献１】特開平７−１０５５５０号公報
【発明の開示】
【発明が解決しようとする課題】
【００１５】
しかし、上記方法では、低周波数の振動から減衰効果を持たせているため、レンズホルダーの移動が制御電流に対して十分に追従しない。そのため、フォーカス方向のピッチング周波数にて位相が遅れ、安定したサーボ特性を得られなくなる問題がある。また、トラッキング方向は完全固定となっているため、トラッキングサーボの安定が得られない。さらに、対物レンズ駆動装置のヨークベース全体を粘弾性支持するための部材とスペースが必要であり、構成が複雑であり薄型化および軽量化が困難であるとともにコストが高くなる。
【００１６】
本発明は、上記問題点に鑑みなされたもので、小型であって、レンズホルダーの全方向の移動に伴う振動を抑える対物レンズ駆動装置を提供することを目的とする。
【課題を解決するための手段】
【００１７】
本発明の対物レンズ駆動装置は、光ディスクに光スポットを投影するための対物レンズ、前記対物レンズを保持するレンズホルダーおよび前記レンズホルダーと固着されているコイルを有する可動部と、突起部を有するヨークベースおよび前記突起部に固定設置されたマグネットを有する固定部と、前記固定部と前記可動部とに接続され、前記固定部に対して前記可動部を可動自在とする支持部とを備え、前記コイルの少なくとも一部が、前記マグネットにより形成された磁気回路中に配置されている対物レンズ駆動装置であって、前記突起部と前記マグネットとの間に粘弾性部材が設置されていることを特徴とする。
【００１８】
また、本発明の光ピックアップ装置は、上記本発明の対物レンズ駆動装置を備えている。
【発明の効果】
【００１９】
本発明は、小型であって、レンズホルダーの全方向の移動に伴う振動を抑える対物レンズ駆動装置を提供することができる。
【発明を実施するための最良の形態】
【００２０】
本発明の対物レンズ駆動装置は、突起部とマグネットとの間に粘弾性部材が設置されている。それにより、対物レンズを駆動させた際にマグネットに生じる振動が粘弾性部材に吸収され、突起部に伝わらない。そのため、ヨークベースが振動することがない。
【００２１】
また、好ましくは、前記マグネットおよび前記突起部は、前記粘弾性部材と同一材料である接着剤により接着されている。それにより、対物レンズを駆動させた際にマグネットに生じる振動を吸収する効果が大きく、振動が突起部に伝わらない。それにより、ヨークベースが振動することがない。また、粘弾性部材と接着剤とが同一材料であるので、複数の材料を用いる必要がないので、コストダウンになる。
【００２２】
また、好ましくは、前記粘弾性部材は、前記マグネットの表面にコーティングによって形成されている。それにより、マグネット表面に、一定の厚さで粘弾性部材を形成することができる。そのため、安定した磁気ギャップ精度とダンピング効果を有する対物レンズ駆動装置を安定して製造することができる。
【００２３】
また、好ましくは、前記マグネットと前記突起部との間隔は５０μｍ以上である。それにより、振動の吸収率が高い。
【００２４】
また、好ましくは、前記粘弾性部材の硬度は、７０度以下である。それにより、振動の吸収率が高い。なお、粘弾性部材の硬度は、ＪＩＳ  Ａ型と呼ばれる日本工業規格の試験法で測定された「スプリング硬さ」である。
【００２５】
また、本発明の光ピックアップ装置は、上記本発明の対物レンズ駆動装置を備えているため、対物レンズを駆動させた際にマグネットに生じる振動が、光学ベースにつたわることがない。それにより、共振のない安定したサーボ特性を得ることができる。したがって、再生、記録等の動作を安定して行うことができる。
【００２６】
以下、本発明のさらに具体的な実施形態について図面を用いて説明する。
【００２７】
本発明の実施の形態に係る対物レンズ駆動装置について、図を用いて説明する。図１は本発明の実施の形態に係る対物レンズ駆動装置の構成を示す斜視図である。また、図２は本発明の実施の形態に係る対物レンズ駆動装置の構成を示す平面図である。なお、図１および図２において、対物レンズのフォーカス方向（光軸方向）をＺ軸方向とし、対物レンズのトラッキング方向をＹ軸方向とする。
【００２８】
図１および図２に示しているように、レンズホルダー２は、ホルダー部２ａとアーム部２ｂとを備えている。ＤＶＤ等の光ディスクに光スポットを投影するための対物レンズ１はレンズホルダー２のホルダー部２ａに保持されている。また、レンズホルダー２のアーム部２ｂには、それぞれ一体となったフォーカスコイル３およびトラッキングコイル４が固着されている。さらに、レンズホルダー２のアーム部２ｂのＺＸ面に平行な両端面のホルダー部２ａ寄りにはホルダー基板６がそれぞれ設置されている。これら、対物レンズ１、レンズホルダー２、フォーカスコイル３、トラッキングコイル４およびホルダー基板６は可動部である。フォーカスコイル３は、その中心軸が対物レンズ１のフォーカス方向（Ｚ軸方向）に対し平行になるように巻装されている。また、トラッキングコイル４は、その中心軸がＸ軸と平行になるように巻装されている。
【００２９】
ヨークベース１０上には、ベース基板８と固着されたサスペンションベース７が設置固定されている。具体的には、ベース基板８と固着されたサスペンションベース７は、レンズホルダー２のアーム部２ｂのＹＺ面に平行な端面のうち、ホルダー部２ａが設置されている反対側の端面側に位置するように設置されている。
【００３０】
また、ヨークベース１０は、サスペンションベース７が設置される側に向かって突出している突起部１１を２つ備えている。各突起部１１は、Ｘ軸方向に沿って並んで配置される。これら２つの突起部１１には、それぞれ粘弾性部材１３を介してマグネット９が固定設置されている。これら２つのマグネット９は、対向している２つの突起部１１の内側に配置されている。例えば、突起部１１およびマグネット９は、接着剤によりお互いに接着固定されているような構成であればよい。
【００３１】
これらマグネット９により、マグネット９どうしの間付近に磁気ギャップ（磁気回路）が形成されている。なお、マグネット９の磁界はＸ方向に生じている。フォーカスコイル３は、一方の突起部１１および片方のマグネット９の周りを巻装するように設置されているため、フォーカスコイル３の一部は、磁気ギャップ内に設置されている。また、トラッキングコイル４はマグネット９どうしの間に設置されているので、トラッキングコイル４も磁気ギャップ内に設置されている。
【００３２】
それぞれ略平行に配置された弾性体であるワイヤー５の一端は、ホルダー基板６に半田付けされている。具体的には、１つのホルダー基板６につき２本ずつ各ワイヤー５が半田付けされていて、全部で４本のワイヤー５が半田付けされている。ワイヤー５は、サスペンションベース７を貫通して、他端がベース基板８に半田付けされている。このような構成とすることで、ワイヤー５により、ホルダー基板６とベース基板８とは電気的に接続されている。また、上述のように、サスペンションベース７と固着されているベース基板８がワイヤー５を介してレンズホルダー２に設置されたホルダー基板６に接続されている。したがって、ワイヤー５によって、レンズホルダー２は、ヨークベース１０、マグネット９、粘弾性部材１３、サスペンションベース７およびベース基板８を含む固定部に対して可動であるように片持ち支持されている。つまり、本実施の形態の対物レンズ駆動装置２０において、可動部と固定部とは、支持部であるワイヤー５により接続されている。
【００３３】
トラッキングコイル４と一体であるフォーカスコイル３に固着されているレンズホルダー２のアーム部２ｂは、マグネット９、突起部１１および粘弾性部材１３の周りを取り囲むように配置されている。
【００３４】
次に、図１および図２に示した本実施の形態に係る対物レンズ駆動装置２０の動作について説明する。マグネット９による磁界はＸ方向に生じている。また、フォーカスコイル３は、磁気ギャップ内においてＹ方向に電流が流れるように構成されている。そのため、フォーカスコイル３に電流が流れた場合は、フォーカスコイル３がＺ軸方向に移動する。つまり、フォーカス方向に移動する。また、フォーカスコイル３に流す電流の方向を変化させることで、移動する向きを変化させることができる。レンズホルダー２はフォーカスコイル３に固着されているので、フォーカスコイル３の移動とともに、対物レンズ１が固着されたレンズホルダー２が移動する。それによって、フォーカス制御を行うことができる。
【００３５】
また、トラッキングコイル４は、磁気ギャップ内に設置されていて、電流は、ＹＺ面に平行な方向に流れるように構成されている。そのため、トラッキングコイル４に電流が流れた場合は、トラッキングコイル４がＹ軸方向に移動する。つまり、トラッキング方向に移動する。また、トラッキングコイル４に流す電流の方向を変化させることで、移動する向きを変化させることができる。レンズホルダー２はトラッキングコイル４に固着されているので、トラッキングコイル４の移動とともに、対物レンズ１が固着されたレンズホルダー２が移動する。それによって、トラッキング制御を行うことができる。
【００３６】
以上のように、対物レンズ駆動装置２０は、フォーカスコイル３およびトラッキングコイル４に流す電流を制御することにより、対物レンズ１のフォーカス方向（Ｚ軸方向）およびトラッキング方向（Ｙ軸方向）の二次元方向に対物レンズ１を駆動させる振動系を構成している。
【００３７】
このように、対物レンズ駆動装置２０においては、対物レンズ１を駆動させることができる。その際にトラッキングコイル４およびフォーカスコイル３である各駆動コイルと、マグネット９とにそれぞれ向きが逆で大きさが等しい推力が発生する。マグネット９に発生した推力はマグネット９を振動させるが、粘弾性部材１３によりその振動はダンピングされ、突起部１１にその振動が伝わることはない。
【００３８】
この粘弾性部材１３をマグネット９と突起部１１との間に設置するには、マグネット９の表面に粘弾性部材１３をコーティングにより形成してから、マグネット９と突起部１１とで粘弾性部材１３を挟むように、マグネット９と突起部１１とを接着剤等で固定すればよい。この際に、粘弾性部材１３は、マグネット９の全面に形成する必要はなく、マグネット９の少なくとも一部に形成されていればよい。また、粘弾性部材１３が突起部１１の少なくとも一部に接していればよい。コーティングにより、粘弾性部材１３を形成することで、マグネット９表面に一定厚さの粘弾性部材１３を形成することができる。そのため、対物レンズ駆動装置２０の製造において、安定した磁気ギャップ精度を確保しながら、所望とするダンピング効果を安定して得ることができる。
【００３９】
図３はマグネットに設置する粘弾性部材の形状を示す模式図である。図３（ａ）はマグネットに設置する粘弾性部材の形状の一例を示す模式図であり、図３（ｂ）はマグネットに設置する粘弾性部材の他の形状を示す模式図である。例えば、図３（ａ）に示すように、マグネット９の突起部１１（図１参照）に対向する側の表面の４隅付近にそれぞれ粘弾性部材１３を配置してもよいし、図３（ｂ）に示すように、マグネット９の表面に対して、２本のライン状の粘弾性部材１３を配置してもよい。また、粘弾性部材１３の形状は、これらに限定されるわけではない。
【００４０】
また、マグネット９と突起部１１とを接着剤によって接着することで、これらを固定することが好ましい。このとき、接着剤と粘弾性部材１３との材質が同じであれば、マグネット９の振動を吸収する効果がさらに高まり、ダンピング特性が向上する。また、ダンピング用および接着用にそれぞれ異なる材料を用意する必要がないので、コストダウンにつながる。また、粘弾性部材１３の設置量のバラツキにより生じるダンピング特性の低下も、接着剤の塗布位置または塗布量で補正することができる。図４はマグネットに塗布する接着剤の形状を示す模式図である。図４（ａ）は図３（ａ）のマグネットに接着剤を塗布した状態の一例を示す模式図であり、図４（ｂ）は図３（ｂ）のマグネットに接着剤を塗布した状態の一例を示す模式図である。図４（ａ）および図４（ｂ）に示すように、マグネット９の中心周辺に、ライン状に接着剤１４を塗布している。このようにして、マグネット９と突起部１１とを接着すればよい。なお、接着剤１４を塗布する形状は、これらに限定されるわけではない。
【００４１】
また、粘弾性部材１３としては、硬度が７０度以下である材料を用いることが好ましい。これにより、マグネット９の振動を十分に吸収することができる。粘弾性部材１３としては、具体的には、例えば、ＴＢ１５３０Ｄ（スリーボンド社製）等を用いればよい。上述したように、接着剤１４と粘弾性部材１３の材質を同じにすれば好ましいので、接着剤１４もＴＢ１５３０Ｄを用いることが好ましい。なお、粘弾性部材１３の硬度は、ＪＩＳ  Ａ型と呼ばれる日本工業規格の試験法で測定された「スプリング硬さ」である。
【００４２】
また、マグネット９と突起部１１との間隔は、５０μｍ以上であることが好ましい。このような構成とすることで、それらの間に設置された粘弾性部材１３によりマグネット９の振動を十分に吸収することができる。
【００４３】
ここで、上述した対物レンズ駆動装置２０を搭載した光ピックアップ装置の構成について図５をさらに用いて説明する。図５は本発明の実施の形態に係る光ピックアップ装置の構成を示す斜視図である。なお、図５において、対物レンズのフォーカス方向（光軸方向）をＺ軸方向とし、対物レンズのトラッキング方向をＹ軸方向とする。光ピックアップ装置３０は、例えば、光学ベース３３、ＤＶＤ集積ユニット３１、ＣＤ集積ユニット３２、ビームスプリット光学素子３４、立上げミラー３５および対物レンズ駆動装置２０を備えている。光学ベース３３上に、ＤＶＤ集積ユニット３１、ＣＤ集積ユニット３２、ビームスプリット光学素子３４、立上げミラー３５および対物レンズ駆動装置２０がそれぞれの位置を調整されて、設置されている。対物レンズ駆動装置２０において、ヨークベース１０が光学ベース３３と接触して設置される。
【００４４】
ＤＶＤ集積ユニット３１は、ＤＶＤの再生および記録を行うためのレーザの発光および受光を一体となって行う。また、ＣＤ集積ユニット３２は、ＣＤの再生および記録を行うためのレーザの発光および受光を一体となって行う。ビームスプリット光学素子３４は、ＤＶＤ用のレーザビームとＣＤ用のレーザビームとをそれぞれ反射または透過することにより、対物レンズ１とＤＶＤ集積ユニット３１およびＣＤ集積ユニット３２との光路を分離する。立上げミラー３５は、対物レンズ１の直下に設置され、ＤＶＤ用のレーザビームまたはＣＤ用のレーザビームを対物レンズ１へと導く。
【００４５】
以上のように構成された光ピックアップ装置において、対物レンズ駆動装置２０が駆動した場合に、生じるマグネット９の振動が粘弾性部材１３により吸収され、突起部１１が振動しない。そのため、ヨークベース１０が振動せず、光学ベース３３も振動することがない。このように、光学ベース３３に伝達する振動を減衰させ、従来発生していた特定の周波数での共振の発生をなくすことができる。それにより、安定したサーボ特性が得られる。そのため、ＤＶＤまたはＣＤの再生および記録動作に問題が生じることがない。
【００４６】
図７は従来の光ピックアップ装置のサーボ特性の一部を示すボード線図である。図７は、具体的には光ピックアップ装置の周波数特性を示している。図７において、縦軸はゲイン（ｄＢ）または位相（ｄｅｇ）を示し、横軸は周波数（Ｈｚ）を示している。図中、破線は位相曲線を示し、実線がゲイン曲線を示している。図７よりわかるように、ゲイン曲線および位相曲線に乱れが生じている個所がある。これは、マグネットによる振動が、ヨークベースを介して光学ベースへと伝わり特異な共振が発生していることを示している。この乱れが大きくなると、位相余裕がなくなりサーボが発振して、再生および記録動作ができないという重大な問題が発生する。
【００４７】
一方、図６は本発明の実施の形態に係る光ピックアップ装置のサーボ特性の一部を示すボード線図である。図７と同様に、図６において、縦軸はゲイン（ｄＢ）または位相（ｄｅｇ）を示し、横軸は周波数（Ｈｚ）を示している。図中、破線は位相曲線を示し、実線がゲイン曲線を示している。図６からわかるように、本実施の形態に係る光ピックアップ装置は、ゲイン曲線および位相曲線の乱れがなく、位相余裕が確保された安定したサーボ特性を得ている。これは、マグネット９で生じた推力による振動がヨークベース１０に伝わる前に粘弾性部材１３によりダンピングされることとなり光学ベース３３にて特異な共振の発生が生じないためである。
【００４８】
なお、本実施の形態において、すべての突起部１１およびマグネット９の間に粘弾性部材１３を設置する必要はなく、少なくとも１つのマグネット９およびこれに対応する突起部１１の間に粘弾性部材１３を設置する構成とすればよい。
【００４９】
以上のように、本実施の形態の対物レンズ駆動装置は、非常に簡単な構成であり、生産性がよく、振動をダンピングすることができる。また、本実施の形態の光ピックアップ装置は、共振のない安定したサーボ特性を得ることができる。そのため、再生および記録動作に問題が生じることがない。
【００５０】
なお、本実施の形態に示した具体例は、あくまでも一例であり、本発明はこれらの具体例に限定されるものではない。
【産業上の利用可能性】
【００５１】
本発明に係る対物レンズ駆動装置は、簡単な構成により、マグネットを振動させる力をダンピングすることができる。そのため、光ピックアップ装置に搭載することが有用である。また、本発明にかかる光ピックアップ装置は、光ディスクの再生および記録を行う光ディスク記録再生装置に用いることが有用である。
【図面の簡単な説明】
【００５２】
【図１】本発明の実施の形態に係る対物レンズ駆動装置の構成を示す斜視図
【図２】本発明の実施の形態に係る対物レンズ駆動装置の構成を示す平面図
【図３】マグネットに設置する粘弾性部材の形状を示す模式図であって、図３（ａ）はマグネットに設置する粘弾性部材の形状の一例を示す模式図であり、図３（ｂ）はマグネットに設置する粘弾性部材の他の形状を示す模式図
【図４】マグネットに塗布する接着剤の形状を示す模式図であって、図４（ａ）は図３（ａ）のマグネットに接着剤を塗布した状態の一例を示す模式図であり、図４（ｂ）は図３（ｂ）のマグネットに接着剤を塗布した状態の一例を示す模式図
【図５】本発明の実施の形態に係る光ピックアップ装置の構成を示す斜視図
【図６】本発明の実施の形態に係る光ピックアップ装置のサーボ特性の一部を示すボード線図
【図７】従来の光ピックアップ装置のサーボ特性の一部を示すボード線図
【図８】従来の対物レンズ駆動装置の構成を示す斜視図
【符号の説明】
【００５３】
１  対物レンズ
２  レンズホルダー
３  フォーカスコイル
４  トラッキングコイル
５  ワイヤー
６  ホルダー基板
７  サスペンションベース
８  ベース基板
９  マグネット
１０  ヨークベース
１１  突起部
１３  粘弾性部材
１４  接着剤
２０  対物レンズ駆動装置
３０  光ピックアップ装置
３１  ＤＶＤ集積ユニット
３２  ＣＤ集積ユニット
３３  光学ベース
３４  ビームスプリット光学素子
３５  立上げミラー
１００  対物レンズ駆動装置
１０１  対物レンズ
１０２  レンズホルダー
１０３  フォーカスコイル
１０４  トラッキングコイル
１０５  ワイヤー
１０６  ホルダー基板
１０７  サスペンションベース
１０８  ベース基板
１０９  マグネット
１１０  ヨークベース
１１１  突起部
【図１】
2006155747.tif 000003
【図２】
2006155747.tif 000004
【図３】
2006155747.tif 000005
【図４】
2006155747.tif 000006
【図５】
2006155747.tif 000007
【図６】
2006155747.tif 000008
【図７】
2006155747.tif 000009
【図８】
2006155747.tif 000010